【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】
使用者の検索要求情報を入力する検索要求情報入力手段と、
画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶手段と、
前記記憶手段に記憶された前記画像のうち、前記検索要求情報入力手段により入力された前記検索要求情報に対応する画像を検索する検索手段と、
前記検索手段の検索結果を出力する出力手段と、
前記検索結果に対応して、課金処理を実行する課金手段と
を備えることを特徴とする通信装置。
【請求項２】
前記記憶手段は、各々に前記画像を撮像する撮像装置が設けられ、前記撮像装置により撮像される画像を所定の時間間隔で更新して、格納している、無線、または、有線で通信可能な、複数の画像格納部により構成される
ことを特徴とする請求項１に記載の通信装置。
【請求項３】
前記検索要求情報は、前記前景オブジェクトを指定する情報を含み、
前記記憶手段は、前記複数の画像格納部に設けられた前記撮像装置を識別する識別子と、対応する前記画像格納部に格納されている前記画像の前記オブジェクトとの関係を示すデータベースをさらに備え、
前記検索手段は、前記データベースを参照して、前記記憶手段に記憶された前記画像のうち、前記検索要求情報入力手段により入力された前記前景オブジェクトを指定する情報に対応する前記画像を検索する
ことを特徴とする請求項２に記載の通信装置。
【請求項４】
前記画像の画像データを、前景オブジェクトを構成する前景オブジェクト成分からなる前景成分画像、および、背景オブジェクトを構成する背景オブジェクト成分からなる背景成分画像に分離する分離手段をさらに備え、
前記記憶手段は、前記分離手段により分離された前記前景成分画像と前記背景成分画像を記憶する
ことを特徴とする請求項１に記載の通信装置。
【請求項５】
前記画像の画像データより分離された前景オブジェクトを構成する前景オブジェクト成分からなる前景成分画像と、背景オブジェクトを構成する背景オブジェクト成分からなる背景成分画像を所定の混合の比率で合成し、合成画像を生成する合成画像生成手段をさらに備え、
前記記憶手段は、前記合成画像生成手段により生成された前記合成画像を記憶する
ことを特徴とする請求項１に記載の通信装置。
【請求項６】
前記画像の画像データを、前景オブジェクトを構成する前景オブジェクト成分からなる前景成分画像、および、背景オブジェクトを構成する背景オブジェクト成分からなる背景成分画像に分離する分離手段と、
前記分離手段により分離された前記前景成分画像と、前記背景成分画像を所定の混合の比率で合成し、合成画像を生成する合成画像生成手段をさらに備え、
前記記憶手段は、前記合成画像生成手段により生成された前記合成画像を記憶する
ことを特徴とする請求項１に記載の通信装置。
【請求項７】
前記出力手段は、前記検索結果として、前記検索要求情報に対応する画像の有無、または、前記検索要求情報に対応する画像の有無と共に検索された画像を出力し、
前記課金手段は、前記出力手段により出力された前記検索結果に基づいて、課金処理を実行する
ことを特徴とする請求項１に記載の通信装置。
【請求項８】
前記課金手段は、前記検索要求情報に応じて前記使用者の識別子、前記通信装置の識別子、および、前記検索要求情報に対応する金額情報を含む課金情報を生成し、前記課金情報に基づいて、前記使用者の金融口座に対して、前記出力手段により出力された前記検索結果に基づいて、課金処理を実行する
ことを特徴とする請求項７に記載の通信装置。
【請求項９】
前記課金処理に使用される使用者毎のポイントを記憶するポイント記憶手段をさらに備え、
前記課金手段は、前記検索要求情報に応じて前記使用者の識別子、前記通信装置の識別子、および、前記検索結果の出力に対応する金額情報を含む課金情報を生成し、前記ポイント記憶手段に記憶されたポイント数を前記金額情報に対応する分だけ減算することにより課金処理を実行する
ことを特徴とする請求項８に記載の通信装置。
【請求項１０】
出力手段は、前記課金手段により課金処理が完了した後、課金処理が完了した前記使用者の通信装置に前記検索結果を出力する
ことを特徴とする請求項７に記載の通信装置。
【請求項１１】
使用者の検索要求情報を入力する検索要求情報入力ステップと、
画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶ステップと、
前記記憶ステップの処理で記憶された前記画像のうち、前記検索要求情報入力ステップの処理で入力された前記検索要求情報に対応する画像を検索する検索ステップと、
前記検索ステップの処理での検索結果を出力する出力ステップと、
前記検索結果に対応して、課金処理を実行する課金ステップと
を含むことを特徴とする通信方法。
【請求項１２】
使用者の検索要求情報の入力を制御する検索要求情報入力制御ステップと、
画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像の記憶を制御する記憶制御ステップと、
前記記憶制御ステップの処理で記憶が制御された前記画像のうち、前記検索要求情報入力制御ステップの処理で入力が制御された前記検索要求情報に対応する画像の検索を制御する検索制御ステップと、
前記検索制御ステップの処理での検索結果の出力を制御する出力制御ステップと、
前記検索結果に対応して、課金処理の実行を制御する課金制御ステップと
を含むことを特徴とするコンピュータが読み取り可能なプログラムが記録されている記録媒体。
【請求項１３】
使用者の検索要求情報の入力を制御する検索要求情報入力制御ステップと、
画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像の記憶を制御する記憶制御ステップと、
前記記憶制御ステップの処理で記憶が制御された前記画像のうち、前記検索要求情報入力制御ステップの処理で入力が制御された前記検索要求情報に対応する画像の検索を制御する検索制御ステップと、
前記検索制御ステップの処理での検索結果の出力を制御する出力制御ステップと、
前記検索結果に対応して、課金処理の実行を制御する課金制御ステップと
をコンピュータに実行させるプログラム。
【請求項１４】
第１の通信装置と第２の通信装置からなる通信システムにおいて、
第１の通信装置は、
使用者の検索要求情報を入力する検索要求情報入力手段と、
前記検索要求情報を前記第２の通信装置に送信する検索要求情報送信手段と、
前記第２の通信装置より送信されてくる検索結果を受信する検索結果受信手段と
を備え、
前記第２の通信装置は、
前記第１の通信装置より送信されてくる検索要求情報を受信する検索要求情報受信手段と、
画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶手段と、
前記記憶手段に記憶された前記画像のうち、前記検索要求情報受信手段により受信された前記検索要求情報に対応する画像を検索する検索手段と、
前記検索手段の検索結果を前記第１の通信装置に送信する検索結果送信手段と、
前記検索結果に対応して、課金処理を実行する課金手段と
を備える
ことを特徴とする通信システム。
【手続補正２】
【補正対象書類名】明細書
【補正対象項目名】０００８
【補正方法】変更
【補正の内容】
【０００８】
【課題を解決するための手段】
本発明の第１の側面の通信装置は、使用者の検索要求情報を入力する検索要求情報入力手段と、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶手段と、記憶手段に記憶された画像のうち、検索要求情報入力手段により入力された検索要求情報に対応する画像を検索する検索手段と、検索手段の検索結果を出力する出力手段と、検索結果に対応して、課金処理を実行する課金手段とを備えることを特徴とする。
【手続補正３】
【補正対象書類名】明細書
【補正対象項目名】００１８
【補正方法】変更
【補正の内容】
【００１８】
本発明の第１の側面の通信方法は、使用者の検索要求情報を入力する検索要求情報入力ステップと、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶ステップと、記憶ステップの処理で記憶された画像のうち、検索要求情報入力ステップの処理で入力された検索要求情報に対応する画像を検索する検索ステップと、検索ステップの処理での検索結果を出力する出力ステップと、検索結果に対応して、課金処理を実行する課金ステップとを含むことを特徴とする。
【手続補正４】
【補正対象書類名】明細書
【補正対象項目名】００１９
【補正方法】変更
【補正の内容】
【００１９】
本発明の第１の側面の記録媒体のプログラムは、使用者の検索要求情報の入力を制御する検索要求情報入力制御ステップと、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像の記憶を制御する記憶制御ステップと、記憶制御ステップの処理で記憶が制御された画像のうち、検索要求情報入力制御ステップの処理で入力が制御された検索要求情報に対応する画像の検索を制御する検索制御ステップと、検索制御ステップの処理での検索結果の出力を制御する出力制御ステップと、検索結果に対応して、課金処理の実行を制御する課金制御ステップとを含むことを特徴とする。
【手続補正５】
【補正対象書類名】明細書
【補正対象項目名】００２０
【補正方法】変更
【補正の内容】
【００２０】
本発明の第１の側面のプログラムは、使用者の検索要求情報の入力を制御する検索要求情報入力制御ステップと、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像の記憶を制御する記憶制御ステップと、記憶制御ステップの処理で記憶が制御された画像のうち、検索要求情報入力制御ステップの処理で入力が制御された検索要求情報に対応する画像の検索を制御する検索制御ステップと、検索制御ステップの処理での検索結果の出力を制御する出力制御ステップと、検索結果に対応して、課金処理の実行を制御する課金制御ステップとをコンピュータに実行させることを特徴とする。
【手続補正６】
【補正対象書類名】明細書
【補正対象項目名】００２１
【補正方法】変更
【補正の内容】
【００２１】
本発明の第２の側面の通信システムは、第１の通信装置が、使用者の検索要求情報を入力する検索要求情報入力手段と、検索要求情報を第２の通信装置に送信する検索要求情報送信手段と、第２の通信装置より送信されてくる検索結果を受信する検索結果受信手段とを備え、第２の通信装置が、第１の通信装置より送信されてくる検索要求情報を受信する検索要求情報受信手段と、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶手段と、記憶手段に記憶された画像のうち、検索要求情報受信手段により受信された検索要求情報に対応する画像を検索する検索手段と、検索手段の検索結果を第１の通信装置に送信する検索結果送信手段と、検索結果に対応して、課金処理を実行する課金手段とを備えることを特徴とする。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】変更
【補正の内容】
【００４２】
本発明の第１の側面においては、使用者の検索要求情報が入力され、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像が記憶され、記憶された画像のうち、入力された検索要求情報に対応する画像が検索され、検索結果が出力され、検索結果に対応して、課金処理が実行される。
【手続補正２８】
【補正対象書類名】明細書
【補正対象項目名】００４３
【補正方法】変更
【補正の内容】
【００４３】
本発明の第２の側面においては、第１の通信装置により、使用者の検索要求情報が入力され、検索要求情報が第２の通信装置に送信され、第２の通信装置より送信されてくる検索結果が受信され、第２の通信装置により、第１の通信装置より送信されてくる検索要求情報が受信され、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像が記憶され、記憶された画像のうち、受信された検索要求情報に対応する画像が検索され、検索結果が第１の通信装置に送信され、検索結果に対応して、課金処理が実行される。
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】削除
【補正の内容】
【手続補正３１】
【補正対象書類名】明細書
【補正対象項目名】０８６９
【補正方法】変更
【補正の内容】
【０８６９】
【発明の効果】
本発明の第１の側面によれば、使用者の検索要求情報を入力し、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶し、記憶した画像のうち、入力した検索要求情報に対応する画像を検索し、検索結果を出力し、検索結果に対応して、課金処理を実行するようにした。
【手続補正３２】
【補正対象書類名】明細書
【補正対象項目名】０８７０
【補正方法】変更
【補正の内容】
【０８７０】
本発明の第２の側面によれば、第１の通信装置が、使用者の検索要求情報を入力し、検索要求情報を第２の通信装置に送信し、第２の通信装置より送信されてくる検索結果を受信し、第２の通信装置が、第１の通信装置より送信されてくる検索要求情報を受信し、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶し、記憶した画像のうち、受信した検索要求情報に対応する画像を検索し、検索結果を第１の通信装置に送信し、検索結果に対応して、課金処理を実行するようにした。
【手続補正３３】
【補正対象書類名】明細書
【補正対象項目名】０８７１
【補正方法】削除
【補正の内容】
【手続補正３４】
【補正対象書類名】明細書
【補正対象項目名】０８７２
【補正方法】削除
【補正の内容】